(57)【特許請求の範囲】
【請求項１】
装置から小出しすべき細長い物体を端と端とを突き合わせた向きで配向し且つ定置する装置であって、該装置は配向し且つ小出しすべき前記細長い物体を収容する管と；前記の管の壁に隣接して配置された該通路の入口から小出し用出口まで伸びる前記の管の直径よりも小さい直径をもつ細長い小出し用通路とを備え、但し該小出し用通路は、前記の小出しすべき物体の軸線が該通路の軸線と平行である場合にのみ該物体を収容する大きさであり；前記通路の入口から、前記の通路側とは反対側の前記管の端部の方向に、管の反対側の壁まで前記管を斜めに横切って、前記管の長手軸に対して25°から35°の角度で伸びる、滑らか且つ平坦な傾斜面と；を備え、それによって前記の管の下方に該通路が来て且つ前記通路の軸線が重力の方向、垂直になるように前記装置が配置される場合に、該管内に入っている細長い物体が前記傾斜面により、該通路の入口に向かって導出されるものであることを特徴とする、細長い物体を端と端とを突き合わせた向きで配向し且つ定置する装置。
【請求項２】
前記の管と通路が両方共に概ね円筒形であり、該通路の軸線が該管の軸線に平行であり且つ該管の軸線から半径方向に偏位していることを特徴とする請求項１記載の装置。
【請求項３】
前記の通路の入口が、前記傾斜面中の一つの孔によって形成されたものであることを特徴とする請求項１または２に記載の装置。
【請求項４】
前記の通路の入口が外側に向かってフレアー状に外開きになっていることを特徴とする請求項１〜３のいずれ一項に記載の装置。
【請求項５】
前記の通路が複数の小出しすべき細長い物体をその端と端とを突き合わせて通路内に収容する長さを持つものであることを特徴とする請求項１〜４のいずれか一項に記載の装置。
【請求項６】
前記の管は前記通路から離れた方の前記傾斜面の端部を越えて、該通路の入口から遠ざかる向きで延びており、しかも前記物体の大きい距離だけ、好ましくは前記物体の長さの１倍から２倍大きい距離だけ伸びるものであることを特徴とする請求項１〜５のいずれか一項に記載の装置。
【請求項７】
前記の管の直径が、前記物体の長さよりも大きいものであることを特徴とする請求項１〜６のいずれか一項に記載の装置。
【請求項８】
前記の管の直径が前記通路の直径の３倍又はそれ以下であることを特徴とする請求項１〜７のいずれか一項に記載の装置。
【請求項９】
前記の管の軸線に沿って測定される前記傾斜面の長さが前記物体の長さよりも大きいものであることを特徴とする請求項１〜８のいずれか一項に記載の装置。
【請求項１０】
小出しすべき複数の物体を収容し且つ貯蔵する容器を形成するように、前記の傾斜面から遠い方の前記管の端部で管を閉じる手段を備えることを特徴とする請求項１〜９のいずれか一項に記載の装置。
【請求項１１】
前記の容器内に置かれた小出しすべき複数の細長い物体を有し、該小出しすべき物体が医薬又は治療剤を入れた細長いカプセルであることを特徴とする請求項10記載の装置。
【請求項１２】
マウスピースと；マウスピースの一端に接続され、配向されて小出しされるカプセルを収容する管と；カプセルに吸入空気を通すことによってカプセルの内容物を取り出すため管内に設けられた手段と；管内に設けられて、管の壁に隣接して配置された入口から小出し用出口まで延びる前記管の直径よりも小さな直径を有する長い小出し用通路とを備え、前記長い小出し用通路は物体の軸が前記通路の軸と平行な時だけ、小出しされる物体を収容するために寸法決めされ；更に前記通路の入口から、前記の通路側とは反対側の前記管の端部の方向に、管の反対側の壁まで前記管を斜めに横切って、前記管の長手軸に対して25°から35°の角度で伸びる、滑らか且つ平坦な傾斜面と；小出しすべき多数の物体を収容し且つ貯蔵するように、前記の傾斜面から遠い方の前記管の端部で管を閉じるカプセル収容器と；を備えることを特徴とする乾燥粉末吸入装置。
【発明の詳細な説明】
【０００１】
【発明の属する技術分野】
本発明は、複数の細長い物体(elongate object)が詰まって動かなくなるのを 防止するような要領で前記の細長い物体を１個ずつ小出し供給する(dispensing)装置に関する。
【０００２】
本発明は、医薬又は治療剤を入れたカプセルを制御して小出しするのに特に適している。しかしながら、本発明がこの用途に限定されないこと及び本発明が前記の用途以外に多種多様な細長い物体の小出しに広範な用途をもつことが理解されるべきである。
【０００３】
【従来の技術】
これまで、数種のカプセルを入れた装置における医薬用カプセルを小出しする装置は、ばら入れ容器(bulk container)にカプセルを個々に無秩序な向きで保有している。典型的なばら入れ容器は公知のカプセルジャー又は瓶であり、これらを使用する唯一の方法は使用時に手で一度に小出しすることである。カプセルの寸法が小さいことから、ある一定の器用さ(dexterity)が必要であり、これは老 人が使用することを困難にする。
【０００４】
カプセルの個数を数えるためには、例えば、大きな容器から一定の数のカプセルを小出しする薬剤師によれば、常用の方法はカプセルを分離と計数とを容易にし得る適当なトレー(tray)に移すことになっている。単位投薬量の粉末を入れたカプセルを用いる吸入装置の場合には、該吸入装置内に数個のカプセルを入れる唯一の方法は、規則正しい方法でカプセルを挿入し、次いでカプセルをかかる規則正しい状態で保つことを確実にすることになっている。これは、吸入に使用されるカプセルを正確な位置で穴開けする(pierce)ことが必要であるので、カプセルを常に同じ位置で穴開け又は切断装置に提供することが必要である。
【０００５】
米国特許第5,048,514号明細書には、複数のカプセルをその端と端とを突き合 わせて保有し且つ重力でチャンバー(chamber)に小出しする吸入装置が記載され ている。欧州特許出願公開第0666085号明細書に対応する米国特許出願08/382,428号明細書には、同様の集成装置(arrangement)が記載されているが、該明細書では複数のカプセルを細い管に入れて該カプセルを１個ずつカプセル室に垂直に小出している。前記カプセル室の直径はカプセルそれ自体よりもわずかに幅広いだけであり、カプセルを垂直に供給し且つカプセル室と一直線の状態にすることを必要とし、さもなければカプセルが詰まって動かなくなり、適切に挿入することできなくなるであろう。上記の二つの装置では、カプセルは手で狭い溝に装填しなければならない。
【０００６】
米国特許第5,372,128号明細書に記載の吸入装置は、リボルバーマガジン
(revolver magazine)のような形状をし且つ６個の区室のそれぞれにカプセルを １個づつ並べて入れたカプセルカセットを示している。さらに該明細書にはかかるカセットを多数入れた吸入装置の態様が記載されている。使用時には、この吸入装置は手で苦心して充填するか又は区室当たりカプセル１個を挿入できる機械を用いて予め充填したカセットを有しなければならない。単純な入れ方は実行可能な充填法ではない。
【０００７】
そのほかの多数の特許公報、例えば欧州特許出願公開第0,528,764号公報、米 国特許第4,860,740号公報、国際特許国際公表第WO94/14491号公報及び国際特許 国際公表第WO92/03175号公報には、マガジン又はトレーを備えた吸入装置であってカプセルを最初に適当な区室又は位置に挿入しなければならない吸入装置が記載されている。
【０００８】
かかる吸入装置は全て、カプセルをその端と端とを突き合わせた向きの場合には狭い溝に所定の向きで注意深く挿入することが必要であるし、あるいは並んだ向きの場合には取付け用トレイ上に所定の向きで注意深く挿入することが必要である。これは、注意深く手で挿入することや、老人患者又は幼い子供が成し得ない器用さ(dexterity)を必要としている。また、高価な機械装置が大規模製造に おいてカプセルを溝、マガジン又はトレイに所定の向きで挿入するのに使用されており、これが費用に加わる。
【０００９】
【発明が解決しようとする課題及び課題を解決するための手段】
これまで、単純な機構、好ましくは重力に依存する機構によりカプセルを無秩序な向きから規則正しい向きで新しい方向に配向すること(re-orient)ができ、 それによって小出し供給を可能にするカプセル吸入装置に、カプセルを無秩序で、例えば注ぐことによって挿入できる装置は存在しなかった。細長い形をした医薬カプセル、例えばゼラチンから製造されるカプセル又は近年のヒドロキシ-プ ロピルメチルセルロースカプセルは、間違いを生じない再配向(re-orientation)を妨げ、このような次第でかかる重力により配向する装置は、カプセルを用いる吸入装置には組み込めなかった。
【００１０】
本発明者らは、容器内のカプセルを配向する(orient)新規な方法であって、それによってカプセルを重力の影響下に容器から１個ずつ確実に小出し供給し得る新規な方法を見い出した。本明細書全体を通じて、“カプセル”という用語は、慣用の医薬カプセルの一般的な形状をもつものを意味し、特定の例を示さない限り又は特に明記しない限りはカプセルの種類、性質、用途及び種々の成分により限定された意味をもつものではない。
【００１１】
本発明の第１の要旨によれば、装置から小出しすべき細長い物体を端と端とを突き合わせた向きで配向し且つ定置する装置であって、該装置は配向し且つ小出しすべき前記細長い物体を収容する管と；細長い小出し用通路であって、前記の管の壁に隣接して配置された該通路の入口から小出し用出口まで伸びる前記の管の直径よりも小さい直径をもつ細長い小出し用通路（但し、該小出し用通路は、前記の小出しすべき物体の軸線が該通路の軸線に概ね平行である場合にのみ該物体を収容する大きさのものとする）と；前記通路の入口から、前記の通路側の管壁に対する管の反対側の壁まで、前記の管を斜めに横切って前記入口通路の反対側の管端部に向かう向きで伸びる傾斜面と；から構成されてあり、それによって前記の管の下方に該通路が来て且つ前記通路の軸線が実質的に垂直になるように前記装置が配置される場合に、該管内に入っている細長い物体が前記傾斜面により、該通路の入口に向かって導出されるものであることを特徴とする、細長い物体を端と端とを突き合わせた向きで配向し且つ定置する装置が提供される。
【００１２】
前記の傾斜面は、該傾斜面の平面が前記の管の小出し端部に向かって立ち上がり、最終的に前記の管の先端の横断面全体の大部分を占めるようにある一定の角度をなしている。従って、前記傾斜面は前記の管の縦方向の軸線に対してある角度なしている。前記の傾斜面は滑らかであり且つ平坦であるのが好ましい。前記の通路はその中にたった１個のカプセルだけを通すことを可能にするのに十分に幅広いので、カプセルの縦方向軸線もまた該通路の縦方向軸線に平行である。この通路は円筒管の外部に通じている。
【００１３】
使用においては、前記の管の内側の利用し得る空間はカプセルで満たすことができるが、若干の空間を残しておくことが好ましいので、カプセルは管の内部をあちこち自由に移動し且つある無秩序な順序から別の無秩序な順序に再配向し得る。前記の管をその小出し端部を下方に向けながら垂直に置くと、カプセルは前記傾斜面にもたれて管の下方に自由に転げ回ることができ、その結果、最初の一つが下部を垂直に向けるようになり、傾斜面に配置されている前記通路の入口を経由して該通路に入り、重力の結果として該通路の中を通って管の小出し用端部に滑り落ち、管から出る。
【００１４】
ある場合には、カプセルは前記管を垂直の状態に置くことだけでは適切に配向し、小出しし得ない。この場合には、管を手で若干振り動かすことにより、カプセルの適切な配向、挿入及び小出しが十分になされるであろう。
【００１５】
首尾良い操作は、円筒管の内部のカプセルに作用する重量力により生じ、該管においてカプセルは傾斜面によって徐々に制約されるようになるので、一つのカプセルが前記通路を通って排出される。傾斜面の角度が重要であるが、良好な操作は極めて広い範囲の角度にわたって生じる。
【００１６】
傾斜面の角度は極めて急な角度から極めて浅い角度まで変化させ得る。他の条件は同じとすると、上記の傾斜面の角度がカプセルの配向における成功率(rate of success)を決定する。90゜に近い角度、すなわち有効な傾きがなく、従って カプセルに対する導入効果がないような急勾配の角度では、カプセルはそれでもなお方向付けされるであろうが、多くの試験を必要とする。傾斜面を備えていない円筒管の内部にカプセルを入れた実験では、16％の成功率(success rate)で出口通路を通ることが記録された。これらの成功した挿入においては、転げ回るカプセルがそれと接触する直前の小出し通路と偶然に一直線の状態になり、それ故に該通路を滑り落ちることが可能であった。
【００１７】
別の例では、極めて浅い傾き、例えば５゜をもつ傾斜面は、その極めて長い傾斜面がカプセルの小出し通路に向かう移動を助けるので、カプセルを配向するのにうまくゆくであろう。しかしながら、極めて浅い角度は極度に長い傾斜面をもたらし円筒管の内側の空間を無駄にする。
【００１８】
従って、前記装置には、カプセルを適切に配向し且つ小出しするのにうまくゆくであろう角度範囲があるが、それを完全に防止するであろう一つの角度は存在しない。
【００１９】
本発明は幾つかの用途に適用できる。例えば、本発明はカプセルの様な形をしたキャンディーを入れる容器や容易な小出し用の装置を備えた容器に適用できるし、あるいは本発明はカプセル又はカプセルの形をした医薬単位投薬量を小出しする必要がある用途に適用できる。かかる一つの用途は、カプセル計数機及びディスペンサー(dispenser)すなわち小出し装置の様な用途である。カプセル容器 は、もし一度に１個のカプセルを小出しすることを意図する場合には、短い小出し用の管(dispensing tube)を備えていなければならないし、あるいはカプセル の数を数える必要がある場合のように、一度に数個のカプセルを小出しすることを目的とする場合には長い小出し用の管を備えていなければならない。
【００２０】
手でもつカプセル計数装置においては、前記の装置は無秩序な順序でカプセルを入れるホッパーと、カプセル配向機構と、先端と末端にカプセルロッキング機構を備えた透明管とによって形成される必要がある。この管の長さは理想的には１個のカプセルの長さの丁度数倍の長さであるので、正確な個数のカプセルを管全体に詰め得る。前記のホッパー、配向機構及び管は連続的に連結して配置されるので、垂直に置いた場合には、カプセルは重力の下でホッパーから配向機構、次いで管に１個ずつ落下する。配向機構の中をカプセルが連続して移動するのを促進する目的で、装置全体を振り動かすことが必要であり、しかも手で振り動かすことによって供給し得る。
【００２１】
カプセル容器を振り動かすことができることが必要な場合があるために、若干の自由空間があらねばならないので、カプセルは容器を振った際には自由に移動し得る。
【００２２】
本発明の別の用途は、多数のカプセル乾燥粉末吸入装置であって、規則正しい方法でカプセルを挿入する必要なしに、手で充填することができる吸入装置をもたらす。これらの装置は現在、カプセルをばら入れ容器から吸入装置の貯蔵ユニット中に単純に注ぐことによって装填できる。これは、あまり器用でない人々、例えば老人又は盲人に特に有用である。
【００２３】
米国特許出願08/382,428号明細書のカプセル乾燥粉末吸入装置の操作を改良できる方法で本発明の装置を以下に説明する。該明細書の記載は本明細書において参考文献として参照される。その明細書及び関連の図面において、前記カプセル容器は複数のカプセルが端と端とを突き合わせて挿入された狭い管からなり、相当な器用さを必要とする。
【００２４】
本発明の態様に合うように作られた、吸入装置のカプセル容器は任意の形状と大きさを持つものであり得、しかも無秩序な順序で入れられた幾つかのカプセルを入れることできる。しかしながら、吸入装置の外観全体と調和して、前記カプセル容器に好適な形状は円筒形である。前記カプセル容器は傾斜面が配置され且つカプセルの配向付けが行われる円筒管に摩擦嵌合によって又はねじ山によって取り付けられる。
【００２５】
前記のカプセル容器の取り付け位置では、円筒管は少なくともカプセル１個の長さ、好ましくはカプセル２個の長さの自由ヘッドスペースを有すべきである。このヘッドスペースはカプセルの移動を促進させるのに極めて望ましい。円筒管はカプセルを自由に新しい方向に配向することを可能にするのに十分に幅広いことが必要であるが、多数のカプセルが互いに詰まリすぎて動けないような幅広さではない。カプセル１個の長さよりも小さい内径をもつ管はそれでもなおカプセルを供給するが、カプセル１個の長さよりも大きい直径はそれぞれのカプセルの360゜の移動を可能にし且つ最も自由な動きを確実にする。
【００２６】
自由ヘッドスペースの後に続いて、前記の円筒管は傾斜面を囲むように内部付形される。円筒管の該空間はこの傾斜面の存在によって徐々に狭くなり、円筒管の底部に近くなるにつれて広くなる。
【００２７】
前記の傾斜面はおよそカプセル２個の高さの鉛直高さと円筒管のほぼ横断面全体の大部分を占めるその底部における幅とを有すべきである。前記の傾斜面は滑らかで且つ平坦である。傾斜面の下半分は丸い通路を定め、該通路の縦方向軸線は円筒形の縦方向軸線に平行である。該通路の両端は、カプセルの直立(righting)を助けるために面取りされる(chamfered)か又はフレアー状に外開きになって いる(flared)。この通路の直径はカプセルが垂直の向きで自由に滑り落ちるのに十分に広い。重力だけでカプセルを配向することができない場合には、吸入装置をわずかに傾けるか又は振り動かすと、十分にカプセルを通路に垂直に再配向させ得る。
【００２８】
前記通路の直径は円筒管の好ましい直径を決定し、円筒管の直径は該通路の直径の約３倍又はそれ以下であるべきである。この通路の直径は前記通路の端部と前記管の壁の間に、直立するカプセル用の空間、すなわちカプセルが前記通路に落ち込む不安定な場所のみを残す。
【００２９】
カプセルが前記傾斜面の円筒形通路に入ると、カプセルは適切に配向され且つ米国特許出願08/382,428号明細書に記載の吸入装置のバレル(barrel)中のカプセル室に滑り落ちることができ、次いで該明細書に記載のようにしてそこで穴開けされ、吸入され且つ排出される。
【００３０】
カプセル容器、円筒管及び傾斜面は、プラスチック又は適当に成形又は製造し得る他の適当な材料製で有り得る。円筒管は透明なプラスチックから成形されるのが好ましいので、使用者が肉眼で吸入装置の内部に残るカプセルの個数又はそれらの首尾良い配向を調べることができる。
【００３１】
本発明の重要な特徴は管の内部構成にあり、該内部構成は重力により傾斜面の平面と円筒管の円筒形の面との間にカプセルを配向することを可能にする。
【００３２】
30゜の角度をもつ傾斜面がいくつかの無秩序に入れられたカプセルの供給及び配向において高い成功率を達成する。少なくともカプセル２個分の長さをもつ自由ヘッドスペースをもつカプセル容器に入れた40個のカプセルを用いた実験は、重力だけで、すなわち吸入装置をひっくり返すだけで、80％を越える配向成功率を例証し且つ若干振り動かすことによって100％の配向成功率を例証している。
【００３３】
本発明の配向用装置のディメンション、例えば傾斜面の角度及び高さ、円筒管の高さ及び幅、並びに通路の幅が重要であり、開示されているある種のディメンションの組み合わせが良好な操作をもたらす。カプセルの種々の大きさについては、他のディメンションが同様に高い成功率をもたらすが、それが円筒管の内側に封入され且つ首尾良く、規則正しい配向に望ましい通路を有する傾斜面であることが認められるべきである。他の形状、例えば通路を供給する倒立円錐(漏斗)の形状が試みられたが、これは詰まって動かなくなる傾向が高く、しかもいくつかの円錐形状が他よりもよく働くが、カプセルの配向及び小出しの成功率は一般に低かった。
【００３４】
前記のカプセル容器は本発明には必須ではない。本発明の配向用装置は容器を必要としない場合のたった一度使用するだけであるか又は１回でカプセル１個だけを収容することを意図する吸入装置の態様において使用できる。これは、吸入装置内に数回単位の投薬量の薬物を入れることが必要でないか又は得策でない１回の投薬量のワクチン、麻酔又は高価な薬物例えばペプチド又はタンパク質の場合である。この場合には、患者は吸入装置の管の内部に１個のカプセルを落とすだけであろう、しかもカプセルは吸入装置のバレルに自動的に配列され且つ挿入されるであろう。
【００３５】
実験は１個のカプセルをこのようにして空の吸入装置に落とす場合に、カプセルを振る必要なしに首尾良く方向付けることを示している。
【００３６】
頻繁に飲む必要がある他の薬物、例えば呼吸器疾患に使用される気管支拡張剤、コルチコステロイド及び抗炎症剤、あるいは例えば糖尿病の治療用のインシュリンについては、カプセル容器が有効である。１日の治療又は毎週の治療に十分なカプセルを入れた容器は、吸入装置をポケットの中に入れて持ち運ぶのに都合の良い十分に小さいものである。
【００３７】
本発明で使用するカプセルに入れることができる薬物の例としては、全身又は局部効果用のサルブタモール(salbutamol)、ピルブテロール(pirbuterol)、
フェノテロール(fenoterol）、ホルモテロール(formoterol）、レプロテロール (reproterol）、リミテロール(rimiterol）、ツロブテロール(tulobuterol）、 バムブテロール(bambuterol）、サルメテロール(salmeterol）、イソプレナリン(isoprenaline)、オルシプレナリン(orciprenaline)、アドレナリン、エフェド リン、テルブタリン、ナトリウム クロモグリケート(sodium  cromoglycate)、 ネドクロミル(nedocromil）、ベクロメタゾン(beclomethasone）、ブデソニド
(budesonide)、フルチカゾン(fluticasone)、フルニソライド(flunisolide)、スマトリプタン(sumatriptan）、モルフィン、インシュリン、ドルナーゼアルファ(dornase alpha)、ペプチド類、タンパク質、抗感染剤、アミノ酸類及び肺又は 鼻に有効に送達し得る一般的医薬活性物質が挙げられる。
【００３８】
【発明の実施の形態】
本発明を添付の図面を参照して説明する。
図１並びに図２(A)及び(B)は本発明の装置の一部分の上面図並びに正面図及び側面図である。
図３は本発明の装置を組み込んである米国特許出願08/382,428号明細書に記載の吸入装置の側面を表す横断面図である。
図４は図３の吸入装置の側面図であり、逆さにした吸入装置を表す。
【００３９】
図１並びに図２(A)及び(B)はまっすぐで且つ平坦な面１とカプセル通路２とを有する傾斜面の種々の例を表すものである。本発明の一つの態様のディメンションが測定され、該ディメンションは図１並びに図２(A)及び(B)に記載され且つ下記の表に記載の文字参照符号に対応する。
0003796323.tif 000002
【００４０】
これらのディメンションは、長さ14.2mm、幅5.3mmの医薬カプセルの正確な移 動に適している。しかしながら、これらのディメンションは種々の大きさをもつ物体に過度の実験を行うことなく容易に適切に適用できることが強調されるべきである。従って、本発明はカプセル１個の大きさだけに限定されるものではなく、また複数のカプセルにさえ限定されるものではない。カプセルの一般的形状をもつ医薬単位投薬又はキャンデーが本発明に同様に使用でき、本発明ににより利益を得ることができる。
【００４１】
図３はマウスピースＭ、バレル領域Ｂ、傾斜面領域Ｒ，自由ヘッドスペースＨ及びカプセル容器Ｃから構成される吸入装置を示す。該カプセル容器４は複数のカプセル５であふれるばかりに満たされる。
【００４２】
図４は逆さに向けた場合の前記と同じ吸入装置を示す。カプセルは自由ヘッドスペースと傾斜面領域とを満たし、カプセルが通路９に近づくに従って垂直に方向づけられる。１個のカプセル８が通路９に挿入されると、その動きはその前にあり且つカプセル室７に取り出されているカプセル６によって止められる。カプセル室７は回転バレル10の内部に入れられる。
【００４３】
吸入装置の操作は、カプセル１個がカプセル室７に充填されると回転バレル10を回転することを必要とする。この動きはカプセルを(その両端を切り開くであ ろう)２つの刃（図示していない）を通り越して移送し、次いで吸入位置にカプ セルを入れ、そして最後に吸入が行われた後に排出位置11に移送する。回転バレル10を回転し続けると、カプセル室７を再び通路９（そこには次のカプセル８が取り出すための定められた場所にある）と一直線の状態にもって行くであろう。
【００４４】
回転バレル10は円筒管12に連結され且つ傾斜部13には連結されていない。操作において、回転バレル10と円筒管12の回転運動は傾斜面13の向きに逆の向きである。これらの逆回転運動は、さらに傾斜面13と円筒形管12の間にカプセルを直立させること及び通路９にカプセルを小出しすることを促進するであろう。
【図面の簡単な説明】
【図１】本発明の装置の一部分の上面図である。
【図２】本発明の装置の一部分の正面図及び側面図であり、(A)は正面図であり、(B)は側面図である。
【図３】本発明の装置を組み込んである米国特許出願08/382,428号明細書に記載の吸入装置の側面を表す横断面図である。
【図４】図３に示す吸入装置の側面図であり、逆さにした吸入装置を表す。
【符号の説明】
１、13      −  傾斜面
２、９      −  カプセル通路
４、12      −  カプセル容器
５、６、８  −  カプセル
７          −  カプセル収容室
10          −  回転バレル
11          −  カプセル排出位置
12          −  円筒管
cy  −  円筒管の直径
hw  −  カプセル通路の直径
rh  −  傾斜面の高さ
n   −  傾斜面の角度
rb  −  傾斜面の先端からカプセル通路の先端までの距離
bl  −  傾斜面の先端からカプセル通路の下端までの距離
Ｍ  −  マウスピース
Ｂ  −  バレル領域
Ｒ  −  傾斜面領域
Ｈ  −  自由ヘッドスペース
Ｃ  −  カプセル容器
【図１】
0003796323.tif 000003
【図２】
0003796323.tif 000004
【図３】
0003796323.tif 000005
【図４】
0003796323.tif 000006